(57)【要約】【課題】容器の内圧変動に起因した内容物の噴き出しを防止できる振り出し容器用のキャップを提案する。【解決手段】表裏を貫通する複数の開孔（２ａ）を有する天面壁（２）と、この天面壁（２）を容器（１）の口部（１ａ）において固定保持するベース（３）からなり、容器（１）を反転させて振り出し動作により容器内の内容物を前記天面壁の開孔（２ａ）を通して排出する振り出し容器用キャップにおいて、前記天面壁（２）と容器（１）の口部（１ａ）とによって区画される容器（１）口部（１ａ）近傍の空間領域に、容器（１）の反転姿勢にて強制的に開放させるが、正位姿勢にて閉塞するスリットバルブ（４）を設ける。【選択図】図１
2006001570.tif 000002
【特許請求の範囲】
【請求項１】
表裏を貫通する複数の開孔を有する天面壁と、この天面壁を容器の口部において固定保持するベースからなり、容器を反転させて振り出し動作により容器内の内容物を前記天面壁の開孔を通して排出する振り出し容器用キャップにおいて、
前記天面壁と容器の口部とによって区画される容器口部近傍の空間領域に、容器の反転姿勢にて強制的に開放され、正位姿勢にて自力で閉塞するスリットバルブを設けたことを特徴とする振り出し容器用キャップ。
【請求項２】
前記スリットバルブが、ゴム又はエラストマー等の軟質材からなる請求項１記載の振り出し容器用キャップ。
【請求項３】
前記スリットバルブの強制的な開放が、該スリットバルブ下方に位置する押圧手段によるものである請求項１又は２記載の振り出し容器用キャップ。
【請求項４】
前記押圧手段が、スリットバルブを隔ててベースに懸垂支持される受け部材と、この受け部材及びスリットバルブの相互間にて移動可能で容器の反転姿勢で該スリットバルブを押圧してスリットを強制的に開放する錘からなる請求項３記載の振り出し容器用キャップ。
【発明の詳細な説明】
【技術分野】
【０００１】
本発明は、容器自体を反転、振り出し動作を繰り返すことで内容物を排出する容器に装着して好適なキャップに関するものであり、容器内の圧力変動に伴って生じる内容物の噴き出し現象を確実に回避しようとするものである。
【背景技術】
【０００２】
粒子径の小さい、例えばこしょう等の調味剤や化粧料等の粉体を入れた容器としては、その口部に複数の孔を有するキャップを装着して、該キャップが下側に向くように容器自体を反転、振り出し動作を行なうことで粉体を適量排出するものが知られている（例えば特許文献１参照）。
【０００３】
【特許文献１】実公平４−２３８０７号公報
【０００４】
ところで、この種の容器は、粉体を排出する孔を閉じないまま容器を正位の姿勢（起立姿勢）に戻した場合に、内容物の容器内での移動により内圧変動が起きて孔の近傍域に残存している粉体が噴き出してしまう不具合があった。
【発明の開示】
【発明が解決しようとする課題】
【０００５】
本発明の課題は、上記のような振り出し容器が抱えていた従来の不具合を解消できる新規なキャップを提案するところにある。
【課題を解決するための手段】
【０００６】
本発明は、複数の開孔を有する天面壁と、この天面壁を容器の口部において固定保持するベースからなり、容器を反転させて揺さぶることにより容器内の内容物を前記天面壁の開孔を通して排出する振り出し容器用キャップにおいて、
前記天面壁と容器の口部とによって区画される容器口部近傍の空間領域に、容器の反転姿勢にて強制的に開放され、正位姿勢にて自力で閉塞するスリットバルブを設けたことを特徴とする振り出し容器用キャップである。
【０００７】
上記の構成になるキャップにおいて、前記スリットバルブは、ゴム又はエラストマー等の軟質材からなるものを適用するのが好ましく、前記スリットバルブの強制的な開放は、該スリットバルブ下方に位置し、自重によってその移動を可能とする押圧手段を用いることによって行なうことができる。
【０００８】
押圧手段としては、スリットバルブを隔ててベースに懸垂支持される受け部材と、この受け部材及びスリットバルブの相互間にて移動可能で容器の反転姿勢で該スリットバルブを押圧してスリットを強制的に開放する錘からなるものがとくに有利に適合する。
【発明の効果】
【０００９】
容器を反転姿勢にすると押圧手段によりスリットバルブが強制的に開放され内容物の排出が可能になるが、容器を正位姿勢にするとスリットバルブはすぐさま閉塞されるため、容器の内圧変動に伴う内容物の噴出現象は起きない。
【発明を実施するための最良の形態】
【００１０】
以下、図面を用いて本発明をより具体的に説明する。
図１は本発明にしたがう振り出し容器用キャップの実施の形態を示したものであり、図２は該キャップの分解状態の外観斜視図である。
【００１１】
図における１は内容物を収納する容器、２は天面壁、３は天面壁２と一体に成形され容器１の口部１ａにねじ止めあるいはアンダーカットによって係合、保持されるベースであり、その内側にはインナーリングが形成され容器１の口部１ａをシールしており、該インナーリングのさらに内側には天面壁２から垂下する環状脚部３ａが設けられている。このベース３と天面壁２にてキャップＳが構成されるもので、該天面壁２には表裏において貫通する複数の開孔２ａが形成されている。
【００１２】
また、４は天面壁２と容器１の口部とによって区画される容器口部近傍の空間領域（本実施例では容器１の口部側壁により区画される領域）に配置されるスリットバルブ、５はスリットバルブ下方に位置する押圧手段、６はキャップＳに覆い被さり螺合・アンダーカット嵌合・しまり嵌め等によりキャップＳ上に固定されてその表面を保護するカバー、そして７は天面壁２の上面に貼着され使用前において開孔２ａをシールするバージンタイプのシート（樹脂やアルミ）である。
【００１３】
押圧手段５はスリットバルブ４を隔ててベース３の環状脚部３ａに係合（アンダーカット等）、懸垂支持されるとともに前記環状脚部３ａとの間にスリットバルブ４のフランジ状基部を挟持固定する受け部材５ａと、この受け部材５ａ及びスリットバルブ４の相互間にて移動可能で容器１の反転姿勢で該スリットバルブ４を押圧してスリットを強制的に開放するボール状の錘５ｂからなっている。
【００１４】
受け部材５ａは図２に外観斜視図を示す如く、スリットバルブ４の基部を受け入れる上向きに開放した二重壁部５ａ１、５ａ２とその内方に一体に成形される錘５ｂの保持部５ａ３を有しており、当該保持部５ａ３は錘５ｂの外周に等間隔に配置された４枚の板状部ｔと、該板状部ｔ下部を連結する梁ｈとにて構成され、梁ｈの間に存在する開口部ｏが内容物の振り出す時の通路として機能する。なお、保持部５ａ３の構造は図示のものに限るものではなく、板状部ｔの枚数を増減したり、あるいは錘５ｂを包囲するように板状部ｔ内壁を環状に連結するとともに底壁を形成した構成を採用することも可能であり、錘５ｂの保持と内容物が通過する通路が確保できるものであればその構造は適宜変更することができる。
【００１５】
図３に示すようにカバー６及びシート７を取り外し容器１を反転姿勢して振り出し動作に入ると、錘５ｂがスリットバルブ４を押圧し、この時、スリットバルブ４に形成されたスリットは強制的に開放されることになり、容器１内の内容物は天面壁２の開孔２ａを経て排出されることになるが、振り出し動作をやめて容器１を図１に示すような正位姿勢（起立姿勢）に戻すと錘５ｂによる押圧は解除されるためスリットバルブ４は自身の持つ弾性によりすぐさま閉塞することになり、この時、容器１内で内圧変化が起きてもそれに起因した内容物の噴出は起こることがない。
【００１６】
スリットバルブ４はゴムやエラストマー等が使用できるが、バルブの開閉が確実に行なえる軟質材であれば上記のものに限定はされない。スリット形状は一文字状や三叉状、十文字状等様々な形状に変更することが可能であり、さらには、一文字状のスリットを複数本並列配置した構造としてもよい。
【００１７】
押圧手段５については受け部材５ａとこれを保持するボール状の錘５ｂを適用する場合について説明したが、押圧手段５はスリットバルブ４を強制的に開放させることができるならば、とくにその構造については限定されるものではなく、キャップのサイズや用途に応じて種々の変更が可能である。また、錘５ｂの形状もボール状に限るものではなく、砲弾形状他各種形状の採用が可能であり、そのサイズもスリットバルブ４を開放させるように機能するものであれば適宜変更が可能である。
【００１８】
キャップＳ、押圧手段５の受け部材５ａ、カバー６は合成樹脂にて構成されるものであり、樹脂に対し特段の限定は存在しないが、中でもポリエチレン・ポリプロピレン等のオレフィン系の合成樹脂を用いるのが好ましい。また、錘５ｂについてはスリットバルブ４の確実な開放を実現するためステンレス製のボールやセラミック製のボールを使用するのが好ましいが、その他、合成樹脂製のボールや樹脂に無機物を混ぜたボール等、スリットバルブ４の自閉力に打ち勝つ重量を有するものであれば何れの材料からなるものでも使用可能である。
【００１９】
なお、商品の流通時（あるいは使用開始前）においては前述したように、天面壁２の外表面に、開孔２ａを密閉するバージンタイプのシート（アルミの薄肉シート、合成樹脂製のフィルム等）を張り付けておくことで内容物の品質保持を図ることができる。
【００２０】
また、受け部材５ａを容器１の口部１ａより上方に配置する場合には、キャップＳのインナーリングを削除し、口部１ａ上端に直接バージンタイプのシートを貼着してもよい。さらには、受け部材５ａを上記のような位置関係とする場合にはシートに代えて合成樹脂の中栓を装着することもできる。
【産業上の利用可能性】
【００２１】
容器の内圧変動に伴って内容物が噴出することのない振り出し容器用のキャップが提供できる。
【図面の簡単な説明】
【００２２】
【図１】本発明にしたがう振り出し容器用のキャップの実施の形態を示した図である。
【図２】図１に示したキャップの分解状態の外観斜視図である。
【図３】内容物の振り出し状況を示した図である。
【符号の説明】
【００２３】
１  容器
１ａ  口部
２  天面壁
２ａ  開孔
３  ベース
４  スリットバルブ
５  押圧手段
５ａ  受け部材
５ｂ  錘
６  カバー
【図１】
2006001570.tif 000003
【図２】
2006001570.tif 000004
【図３】
2006001570.tif 000005